(57)【要約】【課題】作業性や操作性を向上させた籾摺選別機を提供する。【解決手段】感知弁２５と籾供給中断用作動金３５および籾供給量調節用作動金３６とを１本の連結ロッド３２で連結させ、籾供給中断用作動金３５の近傍に選別部１８に有する揺動選別板１８ｂの運転スイッチ３７ａ，３７ｂを設け、感知弁２５と籾供給中断用作動金３５および籾供給量調節用作動金３６とを連結する連結ロッド３２の中途部と、籾供給中断用作動金３５および籾供給量調節用作動金３６と籾供給調節弁３８とを連結する作動ロッド４０の中途部とに、調節ナット４３，４４，４５をそれぞれ設ける。【選択図】図１
2007203186.tif 000002
【特許請求の範囲】
【請求項１】
籾摺部から籾摺ロールによって得られた玄米と籾との混合米を選別部に供給する混合米タンクと、
前記混合米タンク内に有する混合米量の増減変動により動作する感知弁と、
前記籾摺ロール上に有する籾の供給量を調節する籾供給調節弁と、
前記感知弁と前記籾供給調節弁とを連結するロッドの中途部に前記籾供給調節弁の作動量を調節する作動金と、
を備える籾摺選別機において、
前記感知弁と前記作動金とを１本のロッドで連結させるとともに、前記作動金が、籾供給量調節用作動金と、籾供給中断用作動金とを備えることを特徴とする籾摺選別機。
【請求項２】
前記籾供給中断用作動金の近傍に前記選別部に有する揺動選別板の運転スイッチを設け
ることを特徴とする、請求項１に記載の籾摺選別機。
【請求項３】
前記感知弁と前記作動金とを連結する前記ロッドの中途部と、
前記作動金と前記籾供給調節弁とを連結する前記ロッドの中途部とに、ロッド長さ調節機構をそれぞれ設けることを特徴とする、請求項１に記載の籾摺選別機。
【発明の詳細な説明】
【技術分野】
【０００１】
本発明は、籾摺選別機において、籾摺部から籾摺ロールによって得られた玄米と籾との混合米を選別部に供給する混合米タンクの内部に有する感知弁により、籾摺部への籾（フィード）の供給量を調節または中断しうる籾供給量調節機構に関する。
【背景技術】
【０００２】
従来の籾摺選別機５１には、籾を籾摺ロール５２で籾摺りすることにより得られた玄米や籾などの混合米を、図９に示すように混合米タンク５３に貯留しながら選別部に供給する際、この選別部への混合米の供給量を調節するために、籾供給調節弁５４に作動金５５を係合させたロッド５６などを介して混合米タンク５３内の感知弁５８を連動連結させ、選別部への混合米の供給量および籾摺部への籾供給量の調節を行うものがある（特許文献１）。
【０００３】
【特許文献１】特開２００３−２４８０８号公報
【発明の開示】
【発明が解決しようとする課題】
【０００４】
しかし、このような従来の籾摺選別機５１では、感知弁５８と作動金５５とが籾供給量調節ロッド５６および籾供給中断ロッド５７の２本のロッドで連結され、混合米タンク５３中の混合米変動量による感知弁５８の動作位置に対応した籾供給調節弁５４の動作量にするため、これらロッドにより作動金５５を回動させているほか、選別部に有する選別板の運転スイッチ５９と、籾供給調節弁５４の動作量を調節する作動金５５とが分離設置されているため、装置の組立性やメンテナンス性および操作性が不便であることから、作業性が低下していた。
そこでこの発明の目的は、作業性や操作性を向上させた籾摺選別機を提供することにある。
【課題を解決するための手段】
【０００５】
このため請求項１に記載の発明は、籾摺部から籾摺ロールによって得られた玄米と籾との混合米を選別部に供給する混合米タンクと、前記混合米タンク内に有する混合米量の増減変動により動作する感知弁と、前記籾摺ロール上に有する籾の供給量を調節する籾供給調節弁と、前記感知弁と前記籾供給調節弁とを連結するロッドの中途部に前記籾供給調節弁の作動量を調節する作動金とを備える籾摺選別機において、前記感知弁と前記作動金とを１本のロッドで連結させるとともに、前記作動金が、籾供給量調節用作動金と、籾供給中断用作動金とを備えることを特徴とする。
【０００６】
請求項２に記載の発明は、請求項１に記載の籾摺選別機において、前記籾供給中断用作動金の近傍に前記選別部に有する揺動選別板の運転スイッチを設けることを特徴とする。
【０００７】
請求項３に記載の発明は、請求項１に記載の籾摺選別機において、前記感知弁と前記作動金とを連結する前記ロッドの中途部と、前記作動金と前記籾供給調節弁とを連結する前記ロッドの中途部とに、ロッド長さ調節機構をそれぞれ設けることを特徴とする。
【発明の効果】
【０００８】
請求項１に記載の発明によれば、籾摺部から籾摺ロールによって得られた玄米と籾との混合米を選別部に供給する混合米タンクと、混合米タンク内に有する混合米量の増減変動により動作する感知弁と、籾摺ロール上に有する籾の供給量を調節する籾供給調節弁と、感知弁と籾供給調節弁とを連結するロッドの中途部に籾供給調節弁の作動量を調節する作動金とを備える籾摺選別機において、感知弁と作動金とを１本のロッドで連結させるとともに、作動金が、籾供給量調節用作動金と、籾供給中断用作動金とを備えるので、装置の組立性やメンテナンス性を向上させ、かつ籾供給調節弁の作動量を籾供給量の調節時と中断時とで別個に変えることができ、籾摺ロールへの籾供給量を安定させることができる。従って、作業性および操作性を向上させた籾摺選別機を提供することができる。
【０００９】
請求項２に記載の発明によれば、籾供給中断用作動金の近傍に選別部に有する揺動選別板の運転スイッチを設けるので、籾摺部と選別部との連動性を向上することができる。従って、作業性を向上させた籾摺選別機を提供することができる。
【００１０】
請求項３に記載の発明によれば、感知弁と作動金とを連結するロッドの中途部と、作動金と籾供給調節弁とを連結するロッドの中途部とに、ロッド長さ調節機構をそれぞれ設けるので、揺動選別装置や籾供給調節弁による籾供給量調節および籾供給中断の動作タイミングを独立して変えることができる。従って、作業性を向上させた籾摺選別機を提供することができる。
【発明を実施するための最良の形態】
【００１１】
以下図面を参照しつつ本発明を実施するための最良の形態について説明する。
図１は、本発明の一例としての籾摺選別機の右側面図、図２は籾摺選別機の平面図、図３は籾摺選別機の背面図、図４は図１における籾摺機内部の側面模式図である。
【００１２】
この例の籾摺選別機１は、図１〜図３に示すように、機体上部中央に籾ホッパ２と、この籾ホッパ２の側面視背面には、混合米揚穀機３と混合米タンク４が連設される。さらに機体前端には、籾殻排出筒５および機体後端に玄米揚穀機６が備えられ、玄米揚穀機６の上部後端に仕上米出口９が設けられている。また、機体下部には粃搬送装置７と籾還元スロワ１６とが連設される。
【００１３】
図４に示すように、主軸１１ａと副軸１１ｂとからなる籾摺ロール１１ｃを有する籾摺部１１の下方には、籾摺ロール１１ｃで籾摺され、得られた粃や玄米などの混合米が通過する風選路１２ａを有する風選部１２が配設される。この籾摺ロール１１ｃ下方であって、風選路１２ａ終端下部の機体前部（側面視左端）には混合米に吸引作用する吸引ファン１３、この吸引ファン１３の後部（側面視右隣）であって、籾摺ロール１１ｃの下方には、風選路１２ａから混合米中の粃（小米を含む）が落下する粃排出樋１４、さらに粃排出樋１４の後部には、混合米中の籾や玄米が落下する混合米受樋１５などが列設される。
【００１４】
混合米受樋１５に落下した籾や玄米を搬送する図示しない螺旋の搬送終端側は、側面視機体背面側に立設され、複数のバケット３ａを備える混合米揚穀機３に連通し、この混合米揚穀機３の揚穀終端側は混合米タンク４に連通されている。
【００１５】
さらに、混合米タンク４の下方には混合米を搬送する渡し樋１７を有し、この渡し樋１７の下方には選別部１８が備えられる。この選別部１８は、渡し樋１７の搬送終端側に複数の流路からなる分配ケース１８ａと、分配ケース１８ａの側方に有し、多段からなる揺動選別板１８ｂと、揺動選別板１８ｂの前部および中央部にそれぞれ配設される籾仕切板１８ｃ、玄米仕切板１８ｄなどから構成される。
【００１６】
選別部１８の下方には、選別部１８の前部から順に籾用流路１９、混合米用流路２０、玄米用流路２１がそれぞれ配設される。そして、籾用流路１９の終端に有する返り籾入口部１６ａが、返り籾出口部１６ｂを介して側面視手前に備えられる図１に示す籾還元スロワ１６に連通され、この籾還元スロワ１６の上部は、籾摺部１１に連通される。また、混合米用流路２０と玄米用流路２１の間には玄米の機内循環と機外排出とを切り替える切替弁２２が設けられる。そして、機体後端には玄米用流路２１が下部に連設され、複数のバケット６ａを備える玄米揚穀機６が立設される。
【００１７】
なお、符号２３ａは、籾摺機１を運転操作する操作盤で、装置各部を駆動制御する不図示のコントローラが内臓されている。また、符号２３ｂは、籾ホッパ２底部に有する不図示のシャッタ板を開閉させる手動の操作レバーである。
【００１８】
ここで、籾摺選別機１を使用して籾摺作業を行うときは、籾ホッパ２に籾を供給し、操作盤２３の図示しないスイッチにより機体各部を駆動させ、籾ホッパ２底部に有するシャッタ板を開いて、籾摺ロール１１ｃに供給された籾が籾摺された後、落下した混合米は風選路１２ａで風選され、最も軽い籾殻は吸引ファン１３により吸引され、籾殻排出筒５を介して機外に排出される。
【００１９】
また、上記風選路１２ａで風選された比較的軽い粃（小米を含む）は、粃出口１４から排出され、粃出口１４に連通される粃搬送装置７内に流入した後、螺旋により返り籾入口部１６ａまで搬送され、返り籾出口部１６ｂより籾還元スロワ１６内に流入させることで、この粃を返り籾入口部１６ａより返り籾出口部１６ｂを介して籾還元スロワ１６内に流入する選別部１８からの返り籾と、籾還元スロワ１６内で合流させ、これら粃と籾との混合米が籾還元スロワ１６によって籾摺部１１に戻され、再度籾摺される。一方、重量の重い玄米と籾摺を損ねた籾との混合米は受樋１５に落下し、混合米揚穀機３で揚穀されて混合米タンク４に供給された後、渡し樋１７および分配ケース１８ａを介して揺動選別板１８ｂに供給される。
【００２０】
混合米は、揺動選別板１８ｂでの揺動により、小さく比重の重い玄米は揺上側に、また玄米よりも大きく比重の軽い籾は揺下側に、さらに中間部分には分離されない籾と玄米との混合米がそれぞれ偏流分布しながら選別される。
【００２１】
揺動選別板１８ｂで選別された玄米などの穀粒は、籾仕切板１８ｃと玄米仕切板１８ｄで仕切られ、揺動選別板１８ｂより排出される。このとき、切替弁２２は揺動選別板１８ｂ上での穀粒の偏流分布が不安定な際、混合米用流路２０と玄米用流路２１との間を連通させて、混合米と玄米を再度受樋１５に流入させるようにするが、揺動選別板１８ｂ上での穀粒の偏流分布が安定すると、混合米用流路２０と玄米用流路２１との間を遮断させるように切り替えられる。
【００２２】
その結果、混合米が混合米用流路２０を落下し、受樋１５を介して再度選別部１８に搬送され、玄米は玄米用流路２１から玄米揚穀機２３を介して機外に取り出される。また、籾は籾用流路１９から返り籾入口部１６ａを経て、この返り籾入口部１６ａの下方であって、返り籾入口部１６ａに連通される返り籾出口部１６ｂから流入した籾還元スロワ１６を介して籾摺部１１に還元され、再度籾摺される。
【００２３】
次に、本願発明の特徴である籾供給量調節装置２４について、その具体的構成を説明する。図５は、籾供給量調節装置の全体を示す側面図、図６は籾供給量調節装置下部の斜視図である。混合米タンク４に内装された機体左右方向に幅広の感知弁２５が、混合米量の増減変動に追従して支点軸２６を軸として前後に回動するように作動される。なお、符号２７，２８は感知弁２５の作動量を規制するストッパー、符号２９，３０は混合米の流穀板である。
【００２４】
感知弁２５上端の支点軸２６端部はアーム３１および下方に伸長される連結ロッド３２が順次連動連結される。また、この連結ロッド３２下端に連結されたアーム３３ａの下部に、後端にソリ部材３３ｃが固設されたアーム３３ｂの後部を貫通させ突設されたピン軸３４を、中央部に有する略台形状の孔に嵌挿させた籾供給中断用作動金３５と、アーム３３ｂ前端に連結され、下部に長孔を有する籾供給量調節用作動金３６とが設けられる。そして、この籾供給中断用作動金３５後部の上方と下方には、揺動選別板１８ｂの運転オフスイッチ３７ａとオンスイッチ３７ｂとが設けられる。
【００２５】
これら籾供給中断用作動金３５および籾供給量調節用作動金３６は、図６に示されるように、それぞれアームなどを介して籾供給調節弁３８を作動板３９を介して作動させる作動ロッド４０に順次連動連設される。また、籾供給調節弁３８は籾摺ロール１１ｃの上方に装着され、作動板３９の下部に嵌挿させた支点軸４１を支点として上下に回動し、籾摺ロール１１ｃへの籾の供給量の調節あるいは中断が行われる。
【００２６】
また、連結ロッド３２の下部および作動ロッド４０の前後部には、それぞれロッド長さを調節できるターンバックル機構のような調節ナット（ロッド長さ調節機構）４３，４４，４５が設けられる。
【００２７】
図７は、混合米タンク４内の混合米量による感知弁２５の姿勢位置を示した側面図であり、図８（ａ）〜（ｄ）は、感知弁２５の姿勢位置に応じた籾供給中断用作動金３５および籾供給量調節用作動金３６付近の動作状態を示す側面図である。そこで、例えば籾摺作業が行われていないときなど、感知弁２５がストッパー２７に当接される垂下状態の姿勢ａであるとき、連結ロッド３２を介して図８（ａ）に示されるようにピン軸３４が籾供給中断用作動金３５の略台形状の孔上部に位置するため、籾供給中断用作動金３５に荷重がかかることなく、この籾供給中断用作動金３５は作動しない。一方、作動ロッド４０が後方に位置されるため、籾供給調節弁３８が位置アで全開される。さらにこのとき、ソリ部材３３ｃが揺動選別板１８ｂの運転オフスイッチ３７ａに接触することで、揺動選別板１８ｂが停止されており、混合米の選別は行われない。
【００２８】
ここで、操作レバー２３ｂによりシャッターを開いて籾摺作業が行われているとき、混合米タンク４内の混合米量がやや増加して、感知弁２５が姿勢ａから姿勢ｂまたは姿勢ｂから姿勢ａの不感帯域で動作されると、図８（ｂ）に示されるように、連結ロッド３２が押し下げられるが、ピン軸３４は籾供給中断用作動金３５の略台形状の孔中央近傍に摺動されるので籾供給中断用作動金３５は作動せず、籾供給量調節用作動金３６の下部は、連動連結されるアーム３３ｂの後部が押し下げられることで、回動支点Ａを軸にやや前方に回動するのみであり、籾供給調節弁３８は全開の状態を保持して籾摺ロール１１ｃへの籾の供給量は変えられない。
【００２９】
次に、混合米タンク４内の混合米量が増加して、感知弁２５が姿勢ｂから姿勢ｃまたは姿勢ｃから姿勢ｂの帯域で動作されると、図８（ｃ）に示されるように、連結ロッド３２がさらに押し下げられ、それに追従してピン軸３４は籾供給中断用作動金３５の略台形状の孔下端に当接し、回動支点Ｂを軸に籾供給中断用作動金３５の下部が前方に回動される。
【００３０】
同時に籾供給量調節用作動金３６の下部はアーム３３ｂの後部が押し下げられることで回動支点Ａを軸にさらに前方に回動されるため、作動ロッド４０から突設されるアーム４２の他端が籾供給量調節用作動金３６に有する長孔後端に押される結果、作動ロッド４０が前方に摺動し、籾供給調節弁３８が位置イに作動して全開状態を縮小され、籾摺ロール１１ｃへの籾の供給量が減らされる。また、このときソリ部材３３ｃが、揺動選別板１８ｂの運転オンスイッチ３７ｂに接触することで揺動選別板１８ｂが作動し、混合米の選別が行われる。
【００３１】
そして、混合米タンク４内の混合米量が所定の位置になるまで増加して、感知弁２５が姿勢ｃからストッパー２７に当接される姿勢ｄに動作されると、図８（ｄ）に示されるように、連結ロッド３２がさらに押し下げられ、それに追従してピン軸３４は籾供給中断用作動金３５の略台形状の孔下端に当接したまま回動支点Ｂを軸に籾供給中断用作動金３５の下部がさらに前方に回動される。
【００３２】
その結果、作動ロッド４０がさらに前方に摺動され、籾供給調節弁３８を位置ウに作動させて全閉し、籾の供給を中断させる。また、このときソリ部材３３ｃは、揺動選別板１８ｂの運転オンスイッチ３７ｂに接触した状態を維持しており、揺動選別板１８ｂで混合米の選別が行われている。
【００３３】
このように、混合米タンク４内を変動する混合米量を感知弁２５の動作量により１本の連結ロッド３２を介して籾供給中断用作動金３５および籾供給量調節用作動金３６を回動させることで選別部１８への混合米供給を調節するとともに、籾供給調節弁３８を開閉させ、籾摺ロール１１ｃへの籾供給量を調節させるので、装置の組立性やメンテナンス性を向上させることができる。
【００３４】
また、籾供給中断用作動金３５および籾供給量調節用作動金３６が設けられるので、籾供給調節弁３８の作動量を籾供給量の調節時と中断時とで別個に変えることができるので、籾摺ロール１１ｃへの籾供給量を安定させることができる。さらに、連結ロッド３２の下方であって、籾供給中断用作動金３５の近傍に揺動選別板１８ｂの運転スイッチ３７ａ，３７ｂが設けられるので、籾摺ロール１１ｃと揺動選別板１８ｂとの連動性が向上され、装置の操作性を向上させることができる。
【００３５】
ここで、例えば連結ロッド３２の長さを長くして混合米タンク４内の混合米量が上述したような所定の位置になる前に揺動選別板１８ｂを作動させたい場合などは、調節ナット４３を調節して連結ロッド３２を長くする。このように、調節ナット４２を調節することで、混合米タンク４内の混合米量による揺動選別板１８ｂの停止もしくは作動のタイミングを変えることが可能となる。
【００３６】
同様に、作動ロッド４０の前部に設けられた調節ナット４４を調節し、作動ロッド４０の長さを変えることで籾供給量調節用作動金３６が回動し始めるタイミングを調節することができ、例えば作動ロッド４０を長くして混合米タンク４内の混合米量により籾供給調節弁３８の閉じ始めるタイミングを早くするなど、籾供給調節弁３８の動作タイミングを変えることが可能となる。
【００３７】
さらに、作動ロッド４０の後部に設けられた調節ナット４５を調節し、上記同様に作動ロッド４０の長さを変えることで、籾供給中断用作動金３５が回動し始めるタイミングを調節することができ、例えば作動ロッド４０を長くして混合米タンク４内の混合米量により籾供給調節弁３８を全閉させるタイミングを早くするなど、籾の供給中断タイミングを変えることが可能となる。
【００３８】
このように、連結ロッド３２や作動ロッド４０に調節ナット４３，４４，４５などのターンバックル機構を設けるので、揺動選別板１８ｂや籾供給調節弁３８による籾供給量調節および籾供給中断の動作タイミングが独立して変えられ、装置の操作性を向上させることができる。
【００３９】
以上詳述したように、この例の籾摺機１は、籾摺部１１から籾摺ロール１１ｃによって得られた玄米と籾との混合米を選別部１８に供給する混合米タンク４と、混合米タンク４内に有する混合米量の増減変動により動作する感知弁２５と、籾摺ロール１１ｃ上に有する籾の供給量を調節する籾供給調節弁３８と、感知弁２５と籾供給調節弁３８とを連結する作動ロッド４０の中途部に籾供給調節弁３８の作動量を調節する籾供給中断用作動金３５および籾供給量調節用作動金３６とを備え、感知弁２５と籾供給中断用作動金３５および籾供給量調節用作動金３６とを１本の連結ロッド３２で連結させるものである。加えて、籾供給中断用作動金３５の近傍に選別部１８に有する揺動選別板１８ｂの運転スイッチ３７ａ，３７ｂを設け、感知弁２５と籾供給中断用作動金３５および籾供給量調節用作動金３６とを連結する連結ロッド３２の中途部と、籾供給中断用作動金３５および籾供給量調節用作動金３６と籾供給調節弁３８とを連結する作動ロッド４０の中途部とに、調節ナット４３，４４，４５（ロッド長さ調節機構）をそれぞれ設ける。
【００４０】
なお、調節ナット４３，４４，４５は上述したような設置位置に限定されず、調節ナット４３は連結ロッド３２内、また調節ナット４４，４５は作動ロッド４０内に適宜位置決めをして設けてよい。
【図面の簡単な説明】
【００４１】
【図１】本発明の籾摺機の一例を示す側面図である。
【図２】本発明の籾摺機の平面図である。
【図３】本発明の籾摺機の背面図である。
【図４】図１の籾摺機の内部構造を示す模式図である。
【図５】籾供給量調節装置の全体を示す側面図である。
【図６】籾供給量調節装置下部の斜視図である。
【図７】感知弁の姿勢位置を示した側面図である。
【図８】籾供給調節弁が（ａ）と（ｂ）は全開、（ｃ）は半開、（ｄ）は全閉状態のときのそれぞれの感知弁の姿勢位置に応じた作動金付近の動作状態を示す側面図である。
【図９】従来の籾摺機の籾供給量調節装置の全体を示す側面図である。
【符号の説明】
【００４２】
１    籾摺機
４    混合米タンク
１１ｃ    籾摺ロール
１８ｂ    揺動選別板
２４    籾供給量調節装置
２５    感知弁
２６，４１    支点軸
２７，２８    ストッパー
２９，３０    流穀板
３１，３３ａ，３３ｂ，４２    アーム
３２    連結ロッド
３３ｃ    ソリ部材
３４    ピン軸
３５    籾供給中断用作動金
３６    籾供給量調節用作動金
３７ａ    揺動選別板運転オフスイッチ    
３７ｂ    揺動選別板運転オンスイッチ
３８    籾供給調節弁
３９    作動板
４０    作動ロッド
４３，４４，４５    調節ナット
ａ，ｂ，ｃ，ｄ    感知弁姿勢位置
ア，イ，ウ    籾供給調節弁動作位置    
【図１】
2007203186.tif 000003
【図２】
2007203186.tif 000004
【図３】
2007203186.tif 000005
【図４】
2007203186.tif 000006
【図５】
2007203186.tif 000007
【図６】
2007203186.tif 000008
【図７】
2007203186.tif 000009
【図８】
2007203186.tif 000010
【図９】
2007203186.tif 000011